(57)【要約】【課題】回路素子を備えたコネクタにおいて、ワイヤハーネスに組み立てられた際に従来のコネクタと同様に取り扱うことを可能とする電子部品内臓コネクタを提供する。【解決手段】電子部品内臓コネクタ１はＩＣチップを実装した制御回路パッケージ６とアウタハウジング５と電線保持部９を備えている。アウタハウジング５は相手方のコネクタと嵌合するフード部１０と制御回路パッケージ６を収容する制御回路パッケージ収容室１１を備えている。電線保持部９がアウタハウジング５のフード部１０の背面側に設けられている。電線保持部９が制御回路パッケージ６に接続された電線１５ａ，１５ｂ，１５ｃの長手方向がアウタハウジング５の相手方のコネクタとの嵌合方向Ｋと平行な状態で電線１５ａ，１５ｂ，１５ｃを保持する。【選択図】図３
2008226809.tif 000002
【特許請求の範囲】
【請求項１】
回路素子を実装した制御回路部と、相手方のコネクタと嵌合する嵌合部と前記制御回路部を収容する収容室とを備えたハウジングと、を備えた電子部品内蔵コネクタにおいて、
前記ハウジングの前記嵌合部の背面側に前記制御回路部に接続された電線を保持する電線保持部を設け、
前記電線保持部が、前記電線の長手方向が前記ハウジングの前記相手方のコネクタとの嵌合方向と平行な状態で前記電線を保持することを特徴とする電子部品内蔵コネクタ。
【請求項２】
前記ハウジングが、前記制御回路部を内部に収容するための開口を備えたハウジング本体と、前記ハウジング本体に取り付けられて開口を塞ぐカバー部と、を備え、
前記電線保持部が、前記カバー部に設けられたことを特徴とする請求項１に記載の電子部品内蔵コネクタ。
【請求項３】
前記制御回路部は、前記電線と圧接接続するための圧接刃を備えたことを特徴とする請求項１又は請求項２に記載の電子部品内蔵コネクタ。
【請求項４】
前記電線保持部が、前記ハウジング内において、前記電線のうち前記回路素子に電源を供給する電源用の電線と、アースと接続したアース用の電線とをＵ字状に曲げて配索していることを特徴とする請求項１乃至請求項３のうちいずれか一項に記載の電子部品内蔵コネクタ。
【請求項５】
前記電線のうち前記ハウジング内でＵ字状に曲げて配索された電子機器の制御用の電線の屈曲部を切断する切断部を備えたことを特徴とする請求項４に記載の電子部品内蔵コネクタ。
【請求項６】
前記電線保持部が、前記制御用の電線を前記電源用の電線及び前記アース用の電線よりも前記ハウジングの中央寄りに配置したことを特徴とする請求項５に記載の電子部品内蔵コネクタ。
【請求項７】
前記切断部を、前記制御回路部に設けたことを特徴とする請求項５又は請求項６に記載の電子部品内蔵コネクタ。
【請求項８】
前記カバー部が、本体部と、前記本体部から前記ハウジング本体の内面に向かって垂直に立設した立設壁と、を備え、
前記電線保持部が、前記電線を前記本体部と平行に沿わせる平行部と、前記電線を前記平行部から立設し且つ該平行部と交差するように前記立設壁に沿わせる交差部とを有して、前記電線を前記カバー部の内面にＬ字状に曲げて配索していることを特徴とする請求項１乃至請求項７のうちいずれか一項に記載の電子部品内蔵コネクタ。
【請求項９】
前記平行部と前記交差部とが、前記カバー部の内面から凹の溝状に形成されていることを特徴とする請求項８に記載の電子部品内蔵コネクタ。
【発明の詳細な説明】
【技術分野】
【０００１】
本発明は、各種の回路素子を収容して、電線の接続等に使用される電子部品内蔵コネクタに関する。
【背景技術】
【０００２】
移動体としての自動車には、エアコンやワイパー、パワーウィンドウなどを構成するモータなどの多種多様な電気機器が搭載される。前記電気機器に電力や制御信号などを伝えるために、ワイヤハーネスを配索している。ワイヤハーネスは、複数の電線と、電線の端末に接続される端子金具を収容するコネクタとを備えている。電線は、導電性の芯線と、該芯線を被覆する絶縁性の被覆部と、を備えた所謂被覆電線である。
【０００３】
前述したワイヤハーネスのコネクタとして、各種のアクチュエータなどの電子機器とコンピュータなどの制御装置とをデータ通信によるネットワークで接続するために、回路素子などを内蔵した電子部品内蔵コネクタ（例えば、特許文献１参照）が、用いられている。この種の電子部品内蔵コネクタは、回路素子などを実装したリードフレームをハウジング内に内蔵している。
【０００４】
前述した特許文献１に示された電子部品内蔵コネクタは、その回路素子を駆動するための電源が供給される。このため、前述した特許文献１に示された電子部品内蔵コネクタは、簡便な構成で確実に電源が供給されるために、電線の長手方向の中央部に取り付けられて、その幅方向の両端から電線が導出する格好で、前記電線と接続される。そして、電子部品内蔵コネクタは、前記電線の長手方向に沿って互いに間隔をあけて複数が取り付けられ、そして、各々が各種の電子機器に嵌合して、当該電子機器同士などをネットワークに接続する。
【特許文献１】特開２００３−１３４７２０号公報
【発明の開示】
【発明が解決しようとする課題】
【０００５】
前述した特許文献１に示された電子部品内蔵コネクタは、電線の中央部に互いに間隔をあけて取り付けられるので、ワイヤハーネスに組み立てられると、恰も当該ワイヤハーネスの幹線に取り付けられた格好となる。
【０００６】
一方、前述した回路素子を備えていない一般のコネクタは、電源が供給される必要がないので、電線の端末に取り付けられることとなる。このため、回路素子を備えていないコネクタで構成される一般のワイヤハーネスは、当該ワイヤハーネスの枝線の端末にコネクタが取り付けられた格好となる。
【０００７】
このため、前述した特許文献１に示された電子部品内蔵コネクタを含んだワイヤハーネスと、回路素子を内蔵していない一般のコネクタを含んだワイヤハーネスとを互いに組み付けて、一つのワイヤハーネスとして、取り扱うことは、自動車などへの組み付け上困難となっていた。したがって、前述した特許文献１に示された電子部品内蔵コネクタを含んだワイヤハーネスも、前述した一般のコネクタを含んだワイヤハーネスと同様に取り扱うことが望まれている。
【０００８】
したがって、本発明の目的は、回路素子を備えたコネクタにおいて、ワイヤハーネスに組み立てられた際に従来のコネクタと同様に取り扱うことを可能とする電子部品内蔵コネクタを提供することにある。
【課題を解決するための手段】
【０００９】
前述した課題を解決し目的を達成するために、請求項１に記載の本発明の電子部品内蔵コネクタは、回路素子を実装した制御回路部と、相手方のコネクタと嵌合する嵌合部と前記制御回路部を収容する収容室とを備えたハウジングと、を備えた電子部品内蔵コネクタにおいて、前記ハウジングの前記嵌合部の背面側に前記制御回路部に接続された電線を保持する電線保持部を設け、前記電線保持部が、前記電線の長手方向が前記ハウジングの前記相手方のコネクタとの嵌合方向と平行な状態で前記電線を保持することを特徴としている。
【００１０】
請求項２に記載の本発明の電子部品内蔵コネクタは、請求項１に記載の電子部品内蔵コネクタにおいて、前記ハウジングが、前記制御回路部を内部に収容するための開口を備えたハウジング本体と、前記ハウジング本体に取り付けられて開口を塞ぐカバー部と、を備え、前記電線保持部が、前記カバー部に設けられたことを特徴としている。
【００１１】
請求項３に記載の本発明の電子部品内蔵コネクタは、請求項１又は請求項２に記載の電子部品内蔵コネクタにおいて、前記制御回路部は、前記電線と圧接接続するための圧接刃を備えたことを特徴としている。
【００１２】
請求項４に記載の本発明の電子部品内蔵コネクタは、請求項１乃至請求項３のうちいずれか一項に記載の電子部品内蔵コネクタにおいて、前記電線保持部が、前記ハウジング内において、前記電線のうち前記回路素子に電源を供給する電源用の電線と、アースと接続したアース用の電線とをＵ字状に曲げて配索していることを特徴としている。
【００１３】
請求項５に記載の本発明の電子部品内蔵コネクタは、請求項４に記載の電子部品内蔵コネクタにおいて、前記電線のうち前記ハウジング内でＵ字状に曲げて配索された電子機器の制御用の電線の屈曲部を切断する切断部を備えたことを特徴としている。
【００１４】
請求項６に記載の本発明の電子部品内蔵コネクタは、請求項５に記載の電子部品内蔵コネクタにおいて、前記電線保持部が、前記制御用の電線を前記電源用の電線及び前記アース用の電線よりも前記ハウジングの中央寄りに配置したことを特徴としている。
【００１５】
請求項７に記載の本発明の電子部品内蔵コネクタは、請求項５又は請求項６に記載の電子部品内蔵コネクタにおいて、前記切断部を、前記制御回路部に設けたことを特徴としている。
【００１６】
請求項８に記載の本発明の電子部品内蔵コネクタは、請求項１乃至請求項７のうちいずれか一項に記載の電子部品内蔵コネクタにおいて、前記カバー部が、本体部と、前記本体部から前記ハウジング本体の内面に向かって垂直に立設した立設壁と、を備え、前記電線保持部が、前記電線を前記本体部と平行に沿わせる平行部と、前記電線を前記平行部から立設し且つ該平行部と交差するように前記立設壁に沿わせる交差部とを有して、前記電線を前記カバー部の内面にＬ字状に曲げて配索していることを特徴としている。
【００１７】
請求項９に記載の本発明の電子部品内蔵コネクタは、請求項８に記載の電子部品内蔵コネクタにおいて、前記平行部と前記交差部とが、前記カバー部の内面から凹の溝状に形成されていることを特徴としている。
【００１８】
請求項１に記載の本発明の電子部品内蔵コネクタによれば、電線保持部が相手方のコネクタと嵌合する嵌合部の背面側に設けられ且つ相手方のコネクタの嵌合方向に沿って電線を保持するので、回路素子を内蔵していない一般のコネクタと同様に取り扱うことができる。
【００１９】
請求項２に記載の本発明の電子部品内蔵コネクタによれば、電線保持部がカバー部に設けられているので、電線保持部に電線を保持させて、カバー部をハウジング本体に取り付けるだけで、組み立てることができる。また、電線をハウジング本体から引き離すことで該ハウジング本体からカバー部を取り外すことができる。
【００２０】
請求項３に記載の本発明の電子部品内蔵コネクタによれば、制御回路部が圧接刃を備えているので、当該制御回路部と電線とを容易に接続することができる。また、制御回路部と電線との接続を容易に解除することができる。
【００２１】
請求項４に記載の本発明の電子部品内蔵コネクタによれば、電源用の電線とアース用の電線とをハウジング内でＵ字状に曲げて配索しているので、複数のコネクタ間で電源用の電線及びアース用の電線の共用化を図ることができる。
【００２２】
請求項５に記載の本発明の電子部品内蔵コネクタによれば、制御用の電線の屈曲部を切断する切断部を設けているので、組み立てられた状態では、複数のコネクタ間において制御用の電線が互いに電気的に絶縁される。
【００２３】
請求項６に記載の本発明の電子部品内蔵コネクタによれば、屈曲部が切断される制御用の電線を電源用の電線及びアース用の電線よりも中央寄りに配置しているので、電源用の電線及びアース用の電線の曲率半径を大きくすることができ、且つ、屈曲部が切断されて分離された制御用の電線同士を近接させることができる。
【００２４】
請求項７記載の本発明の電子部品内蔵コネクタによれば、切断部を制御回路部に設けているので、カバー部をハウジング本体に取り付ける際に、当該切断部が制御用の電線の屈曲部を切断する。このため、カバー部をハウジング本体に取り付けるだけで、制御用の電線の屈曲部を切断できる。
【００２５】
請求項８記載の本発明の電子部品内蔵コネクタによれば、電線保持部が電線を本体部に平行に沿わせる平行部と、電線を平行部から立設し且つ該平行部と交差するように立設壁に沿わせる交差部とを有して、電線をカバー部の内面にＬ字状に曲げて配索しているので、電線に負荷がかかった際にカバー部の立設壁で受けることができ、制御回路部と電線との接続部分への負荷を低減することができる。
【００２６】
請求項９記載の本発明の電子部品内蔵コネクタによれば、平行部と交差部とがカバー部の内面から凹の溝状に形成されているので、電線をカバー部から外れにくくすることができる。
【発明の効果】
【００２７】
以上説明したように、請求項１記載の本発明は、回路素子を内蔵していない一般のコネクタと同様に取り扱うことができるので、電線の端末即ちワイヤハーネスの枝線の端末に電子部品内蔵コネクタを配置することができる。このため、電子部品内蔵コネクタを備えたワイヤハーネスを、一般のコネクタを備えたワイヤハーネスと組み付けても、一般のコネクタを備えたワイヤハーネスと同様に自動車などに配索できる。したがって、ワイヤハーネスに組み立てられた際に従来から用いられてきた一般のコネクタと同様に取り扱うことができる。
【００２８】
請求項２に記載の本発明は、電線保持部に電線を保持させ、カバー部をハウジング本体に取り付けるだけで、組み立てることができるので、容易に組み立てることができる。また、電線をハウジング本体から引き離すことで該ハウジング本体からカバー部を取り外すことができるので、容易に分解することができる。
【００２９】
請求項３に記載の本発明は、制御回路部と電線とを容易に接続することができるので、より容易に組み立てることができる。また、制御回路部と電線との接続を容易に解除することができるので、より容易に分解することができる。
【００３０】
請求項４に記載の本発明は、複数のコネクタ間で電源用の電線及びアース用の電線の共用化を図ることができるので、ワイヤハーネスを構成する電線の増加を抑制できる。
【００３１】
請求項５に記載の本発明は、組み立てられた状態では、複数のコネクタ間において制御用の電線が互いに電気的に絶縁されるので、簡便な通信方式を用いても、混線することなく所望の制御用の情報を伝送することができる。
【００３２】
請求項６に記載の本発明は、電源用の電線及びアース用の電線の曲率半径を大きくすることができるので、電源用の電線及びアース用の電線が不意に断線することを防止できるとともに、屈曲部が切断されて分離された制御用の電線同士を近接させることができるので、ハウジング即ちコネクタ自体の小型化を図ることができる。
【００３３】
請求項７記載の本発明は、カバー部をハウジング本体に取り付けるだけで、制御用の電線の屈曲部を切断できるので、より一層容易に組み立てることができる。
【００３４】
請求項８記載の本発明は、電線に負荷がかかった際にカバー部の立設壁で受けることができ、制御回路部と電線との接続部分への負荷を低減することができるので、制御回路部と電線との接続不良を抑制することができる。
【００３５】
請求項９記載の本発明は、電線をカバー部から外れにくくすることができるので、電線をハウジング本体から引き離すことで該ハウジング本体からカバー部を確実に取り外すことができる。
【発明を実施するための最良の形態】
【００３６】
本発明の一実施形態にかかる電子部品内蔵コネクタ（以下、単にコネクタと記す）を、図１乃至図９を参照して説明する。
【００３７】
コネクタ１は、図１及び図２に示すように、相手方のコネクタ２と嵌合する。相手方のコネクタ２は、コネクタハウジング３と、図示しない外部端子としての端子金具とを備えている。コネクタハウジング３は、絶縁性の合成樹脂で構成され、扁平な箱状に形成されている。コネクタハウジング３は、端子金具を収容する。
【００３８】
端子金具は、複数設けられ、それぞれが芯線と該芯線を被覆した被覆部とを有した電線４が取り付けられる。端子金具は、取り付けられた電線４の芯線と電気的に接続する。相手方のコネクタ２の端子金具に取り付けられる電線４は、後述するように、自動車などに搭載される各種のスイッチ３０（図８及び図９に示す）が接続されている。スイッチ３０は、特許請求の範囲に記載された電子機器をなしている。
【００３９】
コネクタ１は、図３及び図４に示すように、ハウジングとしてのアウタハウジング５と、制御回路部としての制御回路パッケージ６とを備えている。アウタハウジング５は、扁平な箱状に形成されるとともに、ハウジング本体７と、カバー部８と、電線保持部９（図６に示す）とを備えている。
【００４０】
ハウジング本体７は、絶縁性の合成樹脂で構成され、嵌合部としての筒状のフード部１０と、該フード部１０に連なった収容室としての制御回路パッケージ収容室１１とを一体に備えている。フード部１０は、内側に相手方のコネクタ２のコネクタハウジング３が進入して、当該相手方のコネクタ２と嵌合する。フード部１０に相手方のコネクタ２が嵌合する際には、当該フード部１０に相手方のコネクタ２が、フード部１０を構成する全ての壁面１０ａと平行な矢印Ｋに沿って近づく。この矢印Ｋは、特許請求の範囲に記載された相手方のコネクタ２との嵌合方向をなしている。
【００４１】
制御回路パッケージ収容室１１は、フード部１０の一つの壁面１０ａに連なった底壁１１ａと、当該底壁１１ａの両縁から立設し且つ互いに間隔をあけて相対した一対の側壁１１ｂとを備えて、断面コ字形に形成されている。一対の側壁１１ｂは、勿論、フード部１０の他の壁面１０ａに連なっている。また、制御回路パッケージ収容室１１の図３中の上方には、開口１２が設けられている。開口１２は、勿論、制御回路パッケージ収容室１１の内外を連通している。
【００４２】
カバー部８は、絶縁性の合成樹脂で構成され、図５に示すように、平板状の本体部としての天井壁８ａと、該天井壁８ａの外縁からハウジング本体７の内面に向かって垂直に立設した立設壁としての背面壁８ｂとを一体に備えている。カバー部８は、ハウジング本体７に取り付けられる。カバー部８は、ハウジング本体７に取り付けられると、前述した開口１２を塞ぐ。このカバー部８がハウジング本体７に取り付けられると、天井壁８ａが底壁１１ａと間隔をあけて相対し且つ背面壁８ｂがフード部１０から見てハウジング本体７の背面側に配置される。
【００４３】
また、ハウジング本体７とカバー部８とには、互いに係合する係合部１３ａ，１３ｂが設けられている。係合部１３ａは、ハウジング本体７に設けられており、フード部１０の図３中の上方に位置する壁面１０ａの開口１２側の端部から該開口１２内に向かって突出し且つ内側に貫通孔を有した断面コ字形に形成されている。係合部１３ａは、壁面１０ａの開口１２側の端部に嵌合方向Ｋと交差する方向に互いに間隔をあけて一対設けられている。
【００４４】
係合部１３ｂは、カバー部８に設けられており、天井壁８ａの一部に切り目が形成されて、該切り目で囲まれた部分の先端が天井壁８ａから外側に向かって突出して断面フック状に形成されている。係合部１３ｂは、天井壁８ａの背面壁８ｂから離れた側の端部に嵌合方向Ｋと交差する方向に互いに間隔をあけて一対設けられている。そして、カバー部８がハウジング本体７に取り付けられた際に、係合部１３ｂのフック状に形成された先端が係合部１３ａの貫通孔内に侵入して、該係合部１３ａ，１３ｂが互いに係合する。
【００４５】
電線保持部９は、図５及び図６に示すように、カバー部８の背面壁８ｂに設けられた複数の電線収容溝１４を備えている。このため、電線保持部９は、カバー部８即ちアウタハウジング５のフード部１０から見て背面側に設けられている。電線収容溝１４は、背面壁８ｂの天井壁８ａから離れた側の縁から天井壁８ａに向かって当該背面壁８ｂを切り欠いた格好に形成されている。電線収容溝１４は、間隔をあけて複数設けられている。電線収容溝１４は、内側に電線１５を通して、当該電線１５を保持する。
【００４６】
また、電線収容溝１４即ち電線保持部９は、電線１５の長手方向が前述した嵌合方向Ｋと平行な状態で、電線１５を保持する。電線１５を保持する手段として、電線収容溝１４の径を電線１５の径よりも若干小さく形成する他、電線収容溝１４に電線の抜け止めをするための係止突起等が用いられる。
【００４７】
そして、前述した構成のアウタハウジング５は、開口１２を通してハウジング本体７内に制御回路パッケージ６を収容して、この制御回路パッケージ６をハウジング本体７とカバー部８との間に位置付ける。
【００４８】
また、本実施形態では、電線保持部９は、複数の電線収容溝１４のうちのカバー部８の幅方向の最も両端に位置する二つの電線収容溝１４と、これら二つの電線収容溝１４の内側に位置する二つの電線収容溝１４とに夫々一本の電線１５（以下、符号１５ａ、１５ｂで示す）を保持して、当該電線１５ａ，１５ｂをアウタハウジング５内でＵ字状に曲げている。これらの電線１５ａ，１５ｂのうち外側に位置する一方が、電源と接続して、当該電源からの電力を制御回路パッケージ６の後述するＩＣチップ１７に供給するための電源用の電線であり、他方が、アースと接続して、ＩＣチップ１７とアースとを接続するアース用の電線である。
【００４９】
また、前述した複数の電線１５のうちの最も内側の二本の電線１５（以下、符号１５ｃで示す）は、アウタハウジング５内で互いに分離している。これらの電線１５ｃは、ＩＣチップ１７や相手方のコネクタ２などを介して前述したスイッチ３０と接続して、スイッチ３０のスイッチ信号などの制御用の信号を伝送する電線である。即ち、電線１５ｃは、電子機器としてのスイッチ３０の制御用の電線である。
【００５０】
これらの電線１５ｃは、図５中に点線で示すように、元々一本の電線１５が最も内側の二つの電線収容溝１４に保持されてアウタハウジング５内でＵ字状に配索された後に、該一本の電線１５の屈曲部１５ｄが切断されることで、互いに別体に形成される。前述したように、電線保持部９は、制御用の電線１５ｃを電源用の電線１５ａ及びアース用の電線１５ｂよりもアウタハウジング５の幅方向の内側に配置している。
【００５１】
制御回路パッケージ６は、図７に示すように、リードフレーム１６と、回路素子としてのＩＣチップ１７と、樹脂封止体１８とを備えている。リードフレーム１６は、導電性の金属で構成されるとともに、チップ保持部１９と、複数の圧接刃２０と、複数の雄タブ（コネクタ接続部に相当する）２１と、複数の連結部２２とを一体に備えている。
【００５２】
チップ保持部１９は、平板状に形成されている。チップ保持部１９は、表面上にＩＣチップ１７をエポキシ、Ａｇペースト、半田等で接合し位置付ける。圧接刃２０は、互いに間隔をあけて配置されている。圧接刃２０は、電線保持部９の電線収容溝１４と同数設けられている。
【００５３】
圧接刃２０は、平行部２３と、立設部２４とを一体に備えている。平行部２３は、帯板状に形成され且つ両表面がチップ保持部１９の両表面と同一平面上に設けられている。複数の圧接刃２０の平行部２３は、互いに平行に配置されている。また、複数の圧接刃２０の平行部２３は、チップ保持部１９と間隔をあけて配置されている。
【００５４】
立設部２４は、圧接刃２０の平行部２３のチップ保持部１９から離れた側の端から立設している。図示例では、立設部２４の両表面は、平行部２３の両表面に対して直交している。立設部２４の両表面は、ハウジング本体７にカバー部８を取り付ける際に、当該カバー部８をハウジング本体７に近づける方向と平行である。
【００５５】
また、複数の圧接刃２０の立設部２４は、平行部２３から互いに同方向に立設している。立設部２４には、当該立設部２４の平行部２３から離れた側の縁から平行部２３に向かって延在したスリット２５が形成されている。立設部２４即ち圧接刃２０は、スリット２５内に電線１５ａ，１５ｂ，１５ｃが圧入されることで、当該電線１５ａ，１５ｂ，１５ｃの被覆部を切り込んで、該電線１５ａ，１５ｂ，１５ｃの芯線と接触する。このように、立設部２４即ち圧接刃２０は、電線１５ａ，１５ｂ，１５ｃと圧接する。
【００５６】
雄タブ２１は、直線状に延在した棒状に形成されている。複数の雄タブ２１は、互いに間隔をあけて平行に配置されている。これら複数の雄タブ２１は、複数の圧接刃２０との間にチップ保持部１９を位置付けている。雄タブ２１は、制御回路パッケージ６がアウタハウジング５に収容されると、その長手方向が嵌合方向Ｋと平行となって、フード部１０に嵌合した相手方のコネクタ２の端子金具と接続する。
【００５７】
連結部２２は、それぞれ、圧接刃２０及び雄タブ２１からチップ保持部１９へ向かうように屈曲して形成されている。一部の連結部２２は、チップ保持部１９と圧接刃２０とを接続し、他の残りの連結部２２は、チップ保持部１９と雄タブ２１とを接続している。
【００５８】
ＩＣチップ１７は、チップ保持部１９上に配置されて、リードフレーム１６に取り付けられている。ＩＣチップ１７は、周知のボンディングワイヤによって、各連結部２２と接続されている。ＩＣチップ１７は、連結部２２を介して、圧接刃２０と雄タブ２１とを予め定められたパターンにしたがって電気的に接続している。このように、ＩＣチップ１７は、リードフレーム１６に実装されている。
【００５９】
樹脂封止体１８は、合成樹脂で構成され且つ扁平な箱状に形成されている。樹脂封止体１８は、チップ保持部１９と、各圧接刃２０の平行部２３と、各雄タブ２１のチップ保持部１９寄りの基端部と、各連結部２２とを成形金型内に収容してモールド成型することで封止している。即ち、樹脂封止体１８は、ＩＣチップ１７とリードフレーム１６の中央部分を被覆収容している。樹脂封止体１８は、圧接刃２０と雄タブ２１を露出させてＩＣチップ１７及びリードフレーム１６を封止している。
【００６０】
前述した構成のコネクタ１は、以下のように組み立てられる。まず、作業員がカバー部８に設けられた電線保持部９に電線１５，１５ａ，１５ｂを保持して、これらの電線１５，１５ａ，１５ｂをＵ字状に配索する。そして、最も内側に配索された電線１５の屈曲部１５ｄを切断して、前記電線１５ｃに形成する。
【００６１】
次に、開口１２を通して、制御回路パッケージ６をハウジング本体７内に挿入する。このとき、勿論、雄タブ２１をフード部１０内に位置付け、立設部２４即ち圧接刃２０を制御回路パッケージ収容室１１の底壁１１ａから立設した位置に位置付ける。
【００６２】
続いて、カバー部８を開口１２に徐々に近づける。すると、電線保持部９の電線収容溝１４内に保持された電線１５ａ，１５ｂ，１５ｃが、対応する圧接刃２０の立設部２４のスリット２５内に徐々に挿入される。
【００６３】
そして、係合部１３ａ，１３ｂ同士が係合して、カバー部８が、開口１２を完全に塞いで、ハウジング本体７に取り付けられると、電線１５ａ，１５ｂ，１５ｃが圧接刃２０のスリット２５内に圧入されて、圧接刃２０は、電線１５ａ，１５ｂ，１５ｃの被覆部を切り込んで、芯線と接触する。
【００６４】
こうして、前述した構成のコネクタ１が組み立てられる。こうして組み立てられたコネクタ１は、ＩＣチップ１７などを内蔵していない従来から用いられてきた端子金具とハウジングとで構成される一般のコネクタと同様に、相手方のコネクタ２と嵌合するフード部１０から見て背面側から電線１５ａ，１５ｂ，１５ｃが引き出された格好となっている。前述したコネクタ１は、相手方のコネクタ２と嵌合して、図８及び図９に示すように、ワイヤハーネス２９を構成する。
【００６５】
ワイヤハーネス２９では、前記電線１５ａ，１５ｂ，１５ｃの端末にコネクタ１を介して電気接続箱３１が取り付けられている。ワイヤハーネス２９では、電源からの電力を電源用の電線１５ａを介してＩＣチップ１７に供給し、相手方のコネクタ２と接続されたスイッチ３０のスイッチ信号がＩＣチップ１７及び制御用の電線１５ｃを介して電気接続箱３１に伝送される。こうして、コネクタ１は、ＩＣチップ１７が、相手方のコネクタ２に取り付けられた電線４と、圧接刃２０に圧接された電線１５ａ，１５ｂ，１５ｃとを予め定められたパターン通りに接続する。
【００６６】
また、組み立てられたコネクタ１を分解する際には、まず、作業員が電線１５ａ，１５ｂ，１５ｃをハウジング本体７から引き離して、該ハウジング本体７から電線１５ａ，１５ｂ，１５ｃを取り外す。このとき、電線１５ａ，１５ｂ，１５ｃと圧接刃２０との接続が解除されるとともに、係合部１３ａ，１３ｂ同士の係合が解除されて、カバー部８が電線１５ａ，１５ｂ，１５ｃと一緒にハウジング本体７から取り外される。そして、ハウジング本体７の制御回路パッケージ収容室１１から開口１２を通して制御回路パッケージ６を取り外す。以上のように、コネクタ１は簡単に分解される。
【００６７】
本実施形態によれば、電線保持部９が、相手方のコネクタ２と嵌合するフード部１０の背面側に設けられ且つ相手方のコネクタ２の嵌合方向Ｋに沿って電線１５ａ，１５ｂ，１５ｃを保持するので、ＩＣチップ１７を内蔵していない一般のコネクタと同様に取り扱うことができる。
【００６８】
このため、図８及び図９に示すように、電線１５ａ，１５ｂ，１５ｃの端末即ちワイヤハーネス２９の枝線の端末にコネクタ１を配置することができ、よって、コネクタ１を備えたワイヤハーネス２９を、一般のコネクタを備えたワイヤハーネスと組み付けても、一般のコネクタを備えたワイヤハーネスと同様に自動車などに配索できる。したがって、コネクタ１は、ワイヤハーネス２９に組み立てられた際に従来から用いられてきた一般のコネクタと同様に取り扱うことができ、容易に取り扱うことが可能となる。
【００６９】
また、電線保持部９がカバー部８に設けられているので、電線保持部９に電線１５ａ，１５ｂ，１５ｃを保持させ、カバー部８をハウジング本体７に取り付けるだけで、組み立てることができる。したがって、コネクタ１は、容易に組み立てることができる。また、電線１５ａ，１５ｂ，１５ｃをハウジング本体７から引き離すことで該ハウジング本体７からカバー部８を取り外すことができるので、コネクタ１を容易に分解することができる。
【００７０】
さらに、制御回路パッケージ６が圧接刃２０を備えているので、当該制御回路パッケージ６と電線１５ａ，１５ｂ，１５ｃとを容易に接続することができる。したがって、コネクタ１は、より容易に組み立てることができる。また、制御回路パッケージ６と電線１５ａ，１５ｂ，１５ｃとの接続を容易に解除することができるので、コネクタ１をより容易に分解することができる。
【００７１】
また、電源用の電線１５ａとアース用の電線１５ｂとをアウタハウジング５内でＵ字状に曲げて配索しているので、ワイヤハーネス２９の複数のコネクタ１間で電源用の電線１５ａ及びアース用の電線１５ｂの共用化を図ることができる。したがって、ワイヤハーネス２９を構成する電線１５ａ，１５ｂ，１５ｃの増加を抑制できる。
【００７２】
さらに、屈曲部１５ｄが切断される制御用の電線１５ｃを電源用の電線１５ａ及びアース用の電線１５ｂよりも中央寄りに配置しているので、電源用の電線１５ａ及びアース用の電線１５ｂの曲率半径を大きくすることができ、且つ、屈曲部が切断されて分離された制御用の電線１５ｃ同士を近接させることができる。
【００７３】
このため、電源用の電線１５ａ及びアース用の電線１５ｂの曲率半径を大きくすることができるので、電源用の電線１５ａ及びアース用の電線１５ｂが不意に断線することを防止できる。また、屈曲部１５ｄが切断されて分離された制御用の電線１５ｃ同士を近接させることができるので、アウタハウジング５即ちコネクタ１自体の小型化を図ることができる。
【００７４】
前述した実施形態では、作業員が最も内側の電線収容溝１４に保持されてＵ字状に配索された電線１５の屈曲部１５ｄを切断している。しかしながら、本発明では、図１０乃至図１３に示すように、コネクタ１が、前述した最も内側の電線収容溝１４に保持されてＵ字状に配索された電線１５の屈曲部１５ｄを切断する切断部３５を備えていても良い。なお、図１０乃至図１３に示す場合において、前述した実施形態と同一部分には、同一符号を付して説明を省略する。
【００７５】
図１０乃至図１３に示す場合では、コネクタ１は、制御回路パッケージ６に設けられた切断部３５と、カバー部８に設けられた切断受け部３６とを備えている。切断部３５は、図１０乃至図１３に示すように、切断部本体３７と、切断刃３８とを備えている。切断部本体３７は、方体状に形成され、樹脂封止体１８の外表面から凸に当該樹脂封止体１８に一体に形成されている。切断部本体３７は、カバー部８に設けられた電線保持部９の最も内側の二つの電線収容溝１４に保持される電線１５の屈曲部１５ｄと重なる位置に設けられている。
【００７６】
切断刃３８は、金属で構成され且つ刃状に形成されている。切断刃３８は、切断部本体３７から立設し且つその両表面が、コネクタ１外に導かれる電線１５ａ，１５ｂ，１５ｃの長手方向と平行に配置されている。切断刃３８は、インサート成形などによって、樹脂封止体１８及び切断部本体３７に形成されている。切断刃３８は、カバー部８がハウジング本体７に取り付けられる際に、電線保持部９の最も内側の二つの電線収容溝１４に保持される電線１５の屈曲部１５ｄに当接して、当該屈曲部１５ｄを切断する。
【００７７】
前述した切断部３５は、カバー部８がハウジング本体７に取り付けられる際に、切断刃３８が電線１５の屈曲部１５ｄを切断し、切断部本体３７が電線１５の屈曲部１５ｄが切断されることで分離された電線１５ｃ間に侵入して、これらの電線１５ｃ同士を絶縁する。
【００７８】
切断受け部３６は、カバー部８の天井壁８ａを貫通したスリット状に形成され、カバー部８がハウジング本体７に取り付けられると、切断刃３８の先端を収容して、当該切断刃３８が破損することを防止する。
【００７９】
この図１０乃至図１３に示された例によれば、前述した実施形態の効果に加え、制御用の電線１５の屈曲部１５ｄを切断する切断部３５を設けているので、ワイヤハーネス２９に組み立てられた状態では、複数のコネクタ１間において制御用の電線１５ｃが互いに電気的に絶縁される。したがって、ワイヤハーネス２９が、簡便な通信方式を用いても、混線することなく所望の制御用の情報を伝送することができる。
【００８０】
また、切断部３５を制御回路パッケージ６に設けているので、カバー部８をハウジング本体７に取り付ける際に、当該切断部３５が制御用の電線１５ｃの屈曲部１５ｄを確実に切断する。このため、カバー部８をハウジング本体７に取り付けるだけで、制御用の電線１５ｃの屈曲部１５ｄを切断できる。したがって、コネクタ１をより一層容易に組み立てることができる。
【００８１】
前述した実施形態では、電線保持部９がカバー部８の背面壁８ｂに設けられた複数の電線収容溝１４を備えて、該複数の電線収容溝１４によって相手方のコネクタ２の嵌合方向Ｋに沿って電線１５ａ，１５ｂ，１５ｃを保持するとともに、電線１５ａ，１５ｂをアウタハウジング５内でＵ字状に曲げて配索している。しかしながら、本発明では、図１４乃至図１８に示すように、コネクタ１は、電線保持部９がカバー部８の天井壁８ａに設けられた平行部４１と背面壁８ｂに設けられた交差部４２とを有して、該平行部４１と交差部４２とによって電線１５ａ，１５ｂ，１５ｃをカバー部８の内面にＬ字状に曲げて配索していても良い。なお、図１４乃至図１８に示す場合において、前述した実施形態と同一部分には、同一符号を付して説明を省略する。
【００８２】
図１４乃至図１８に示す場合では、コネクタ１は、電線保持部９が、カバー部８の天井壁８ａに設けられた平行部４１と、背面壁８ｂに設けられた交差部４２とを備えている。平行部４１は、カバー部８の天井壁８ａの内面に該内面から凹の溝状に形成されている。平行部４１は、カバー部８の幅方向に間隔をあけて複数設けられている。複数の平行部４１は、内側に電線１５ａ，１５ｂ，１５ｃを通して、当該電線１５ａ，１５ｂ，１５ｃを天井壁８ａと平行に沿わせて保持する。
【００８３】
前述した複数の平行部４１のうちのカバー部８の幅方向の最も両端に位置する二つの平行部４１（以下、符号４１ａで示す）と、これら二つの平行部４１ａの内側に位置する二つの平行部４１（以下、符号４１ｂで示す）とは、図１５又は図１７に示すように、それぞれ、カバー部８の背面壁８ｂから離れる方向に凸の半円弧状に形成されて繋がっている。即ち、平行部４１ａ，４１ｂは、平面形状がＵ字状に形成されている。これらの平行部４１ａ，４１ｂは、夫々一本の電線１５ａ、１５ｂを天井壁８ａにＵ字状に曲げた状態で平行に沿わせて保持している。
【００８４】
また、前述した複数の平行部４１のうちの最も内側に位置する二つの平行部４１（以下、符号４１ｃで示す）は、図１５又は図１７に示すように、天井壁８ａの略中央から背面壁８ｂに向かって直線状に形成されている。この平行部４１ｃは、電線１５ｃをカバー部８の天井壁８ａに平行に沿わせて保持している。
【００８５】
交差部４２は、図１７又は図１８に示すように、カバー部８の背面壁８ｂの内面に天井壁８ａ側からハウジング本体７側に亘って設けられ且つ該背面壁８ｂの内面から凹の溝状に形成されている。交差部４２は、カバー部８の幅方向に間隔をあけて複数設けられている。複数の交差部４２は、それぞれ、前述した複数の平行部４１に連設されている。交差部４２は、内側に電線１５ａ，１５ｂ，１５ｃを通して、当該電線１５ａ，１５ｂ，１５ｃを平行部４１から立設し且つ該平行部４１と交差するように背面壁８ｂに沿わせて保持する。
【００８６】
そして、電線保持部９は、複数の平行部４１が電線１５ａ，１５ｂ，１５ｃを天井壁８ａと平行に沿わせて保持するとともに、複数の交差部４２が電線１５ａ，１５ｂ，１５ｃを平行部４１から立設し且つ該平行部４１と交差するように背面壁８ｂに沿わせて保持して、当該電線１５ａ，１５ｂ，１５ｃをカバー部８の内面にＬ字状に曲げて配索する。
【００８７】
また、本実施形態では、コネクタ１は、図１６に示すように、アウタハウジング５のハウジング本体７とカバー部８との双方に互いに係合する係合部４３ａ，４３ｂが設けられている。係合部４３ａは、ハウジング本体７に設けられており、制御回路パッケージ収容室１１の一対の側壁１１ｂそれぞれの内面から互いに近づく方向に突出している。係合部４３ａは、各側壁１１ｂの底壁１１ａ側の端部に該底壁１１ａと間隔をあけて設けられ且つ各側壁１１ｂに沿って延びた角柱状に形成されている。
【００８８】
係合部４３ｂは、カバー部８に設けられており、天井壁８ａの嵌合方向Ｋと交差する方向に相対する両端部からハウジング本体７に向かって垂直に立設し且つ該両端部に沿って延びた平板状に形成されている。係合部４３ｂは、先端が天井壁８ａの外側に向かって突出して断面フック状に形成されている。そして、カバー部８がハウジング本体７に取り付けられた際に、係合部４３ｂのフック状に形成された先端が係合部４３ａを乗り越えて、該係合部４３ａ，４３ｂが互いに係合する。
【００８９】
この図１４乃至図１８に示された場合によれば、電線保持部９が電線１５ａ，１５ｂ，１５ｃを天井壁８ａに平行に沿わせる平行部４１と、電線１５ａ，１５ｂ，１５ｃを平行部４１から立設し且つ該平行部４１と交差するように背面壁８ｂに沿わせる交差部４２とを有して、電線１５ａ，１５ｂ，１５ｃをカバー部８の内面にＬ字状に曲げて配索している。
【００９０】
このため、電線１５ａ，１５ｂ，１５ｃに負荷がかかった際にカバー部８の背面壁８ｂで受けることができるので、制御回路パッケージ６と電線１５ａ，１５ｂ，１５ｃとの接続部分への負荷を低減することができる。したがって、制御回路パッケージ６と電線１５ａ，１５ｂ，１５ｃとの接続不良を抑制することができる。
【００９１】
また、平行部４１と交差部４２とがカバー部８の内面から凹の溝状に形成されているので、電線１５ａ，１５ｂ，１５ｃをカバー部８から外れにくくすることができる。このため、電線１５ａ，１５ｂ，１５ｃをハウジング本体７から引き離すことで該ハウジング本体７からカバー部８を確実に取り外すことができる。
【００９２】
前述した実施形態などでは、リードフレーム１６が、相手方のコネクタ２の端子金具と接続する雄タブ２１を備えている。しかしながら、本発明では、相手方のコネクタ２の端子金具と接続するために、雌型の端子金具などを用いても良い。要するに、本発明では、相手方のコネクタ２の端子金具と接続可能なものであれば種々の構成のものを用いても良い。
【００９３】
また、前述した実施形態などでは、制御回路パッケージ６の樹脂封止体１８を扁平な箱状に形成している。しかしながら、本発明では、リードフレーム１６やＩＣチップ１７などを覆う箱状に成形して、樹脂封止体１８を中空に形成しても良い。
【００９４】
また、前述した実施形態などでは、制御回路パッケージ６を、リードフレーム１６とリードフレーム１６上に実装されたＩＣチップ１７とで構成している。しかしながら、制御回路パッケージ６を、従来技術の電子ユニットの如く、印刷配線板と、印刷配線板上に実装された電子素子としてもよい。さらに、本発明では、制御用の電線１５を切断して二本の電線１５ｃに分離せずに、制御用の電線１５をアウタハウジング５内でＵ字状に曲げて、一本のままで用いても良い。
【００９５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００９６】
【図１】本発明の一実施形態にかかる電子部品内蔵コネクタと相手方のコネクタとを示す斜視図である。
【図２】図１に示されたコネクタ同士を嵌合した状態を示す斜視図である。
【図３】図１に示された電子部品内蔵コネクタの分解斜視図である。
【図４】図３に示された電子部品内蔵コネクタの透視図である。
【図５】図３に示された電子部品内蔵コネクタのカバー部の透視図である。
【図６】図３中のIII−III線に沿う断面図である。
【図７】図３に示された電子部品内蔵コネクタの制御回路パッケージの透視図である。
【図８】図１に示された電子部品内蔵コネクタを備えたワイヤハーネスの構成を示す説明図である。
【図９】図８に示されたワイヤハーネスの構成を示す平面図である。
【図１０】図１に示された電子部品内蔵コネクタの変形例を示す斜視図である。
【図１１】図１０に示された電子部品内蔵コネクタの透視図である。
【図１２】図１０に示された電子部品内蔵コネクタの分解斜視図である。
【図１３】図１２に示された電子部品内蔵コネクタのカバー部の透視図である。
【図１４】図１に示された電子部品内蔵コネクタの別の変形例を示す斜視図である。
【図１５】図１４に示された電子部品内蔵コネクタのカバー部の透視図である。
【図１６】図１４に示された電子部品内蔵コネクタの分解斜視図である。
【図１７】図１５に示されたカバー部の内面側を示す斜視図である。
【図１８】図１４中のＸＶＩＩ−ＸＶＩＩ線に沿う断面図である。
【符号の説明】
【００９７】
１  電子部品内蔵コネクタ
２  相手方のコネクタ
５  アウタハウジング（ハウジング）
６  制御回路パッケージ（制御回路部）
７  ハウジング本体
８  カバー部
９  電線保持部
１０  フード部（嵌合部）
１１  制御回路パッケージ収容室（収容室）
１２  開口
１５  電線
１５ａ  電源用の電線
１５ｂ  アース用の電線
１５ｃ  制御用の電線
１７  ＩＣチップ（回路素子）
２０  圧接刃
３５  切断部
４１  平行部
４２  交差部
Ｋ  嵌合方向
【図１】
2008226809.tif 000003
【図２】
2008226809.tif 000004
【図３】
2008226809.tif 000005
【図４】
2008226809.tif 000006
【図５】
2008226809.tif 000007
【図６】
2008226809.tif 000008
【図７】
2008226809.tif 000009
【図８】
2008226809.tif 000010
【図９】
2008226809.tif 000011
【図１０】
2008226809.tif 000012
【図１１】
2008226809.tif 000013
【図１２】
2008226809.tif 000014
【図１３】
2008226809.tif 000015
【図１４】
2008226809.tif 000016
【図１５】
2008226809.tif 000017
【図１６】
2008226809.tif 000018
【図１７】
2008226809.tif 000019
【図１８】
2008226809.tif 000020